【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
第１の超音波および前記第１の超音波の振幅を変調した超音波を３次元的に分布する複数の走査線それぞれに少なくとも１回ずつ送信し、当該送信に基づく複数の第１の反射波を受信する第１のスキャンと、
前記第１のスキャンの途中において、第２の超音波を２次元的に分布する複数の走査線それぞれに少なくとも１回送信し、当該送信に基づく複数の第２の反射波を受信する第２のスキャンと、
を超音波プローブに実行させ、前記超音波プローブから前記複数の第１の反射波に基づく複数の第１の受信信号および前記複数の第２の反射波に基づく複数の第２の受信信号を取得する送受信部と、
前記複数の第１の受信信号を合成し、複数の合成信号を生成する信号処理部と、
前記複数の合成信号に基づいて３次元超音波画像データを生成し、前記複数の第２の受信信号に基づいて２次元超音波画像データを生成する画像生成部と、
を備え、
前記第１のスキャンによって前記３次元的に分布する複数の走査線の一部から前記複数の第１の反射波の一部が受信された後に、前記第２のスキャンによって前記２次元的に分布する複数の走査線から前記複数の第２の反射波が受信され、前記複数の第２の反射波が受信された後に、前記第１のスキャンによって前記３次元的に分布する複数の走査線の残りの全部又は一部から前記複数の第１の反射波の残りの全部又は一部が受信される超音波診断装置。
【請求項２】
第１の超音波および前記第１の超音波の位相を変調した超音波を３次元的に分布する複数の走査線それぞれに少なくとも１回ずつ送信し、当該送信に基づく複数の第１の反射波を受信する第１のスキャンと、
前記第１のスキャンの途中において、第２の超音波を２次元的に分布する複数の走査線それぞれに少なくとも１回送信し、当該送信に基づく複数の第２の反射波を受信する第２のスキャンと、
を超音波プローブに実行させ、前記超音波プローブから前記複数の第１の反射波に基づく複数の第１の受信信号および前記複数の第２の反射波に基づく複数の第２の受信信号を取得する送受信部と、
前記複数の第１の受信信号を合成し、複数の合成信号を生成する信号処理部と、
前記複数の合成信号に基づいて３次元超音波画像データを生成し、前記複数の第２の受信信号に基づいて２次元超音波画像データを生成する画像生成部と、
を備え、
前記第１のスキャンによって前記３次元的に分布する複数の走査線の一部から前記複数の第１の反射波の一部が受信された後に、前記第２のスキャンによって前記２次元的に分布する複数の走査線から前記複数の第２の反射波が受信され、前記複数の第２の反射波が受信された後に、前記第１のスキャンによって前記３次元的に分布する複数の走査線の残りの全部又は一部から前記複数の第１の反射波の残りの全部又は一部が受信される超音波診断装置。
【請求項３】
前記送受信部は、前記複数の第１の反射波の受信対象となる３次元領域よりも狭い単一又は複数の領域から前記複数の第２の反射波を受信する第２のスキャンを前記超音波プローブに実行させるように構成される請求項１又は２記載の超音波診断装置。
【請求項４】
前記送受信部は、アジマス方向又はエレベーション方向を法線方向とする単一又は複数の領域から前記複数の第２の反射波を受信する第２のスキャンを前記超音波プローブに実行させるように構成される請求項１乃至３のいずれか１項に記載の超音波診断装置。
【請求項５】
前記送受信部は、前記複数の第１の反射波の受信対象となる３次元領域を時間的に等間隔に分割するタイミングで前記複数の第２の反射波を複数回受信する第２のスキャンを前記超音波プローブに実行させるように構成される請求項１乃至４のいずれか１項に記載の超音波診断装置。
【請求項６】
前記送受信部は、前記複数の第１の反射波の受信対象となる３次元領域を２分割し、かつアジマス方向又はエレベーション方向を法線方向とする２次元領域から前記複数の第２の反射波を受信する第２のスキャンを前記超音波プローブに実行させるように構成される請求項１乃至５のいずれか１項に記載の超音波診断装置。
【請求項７】
前記送受信部は、前記２次元超音波画像データのフレームレートとして前記複数の第２の反射波の受信条件を設定するように構成される請求項１乃至６のいずれか１項に記載の超音波診断装置。
【請求項８】
前記送受信部は、入力装置から入力される指示情報に従って前記２次元超音波画像データのフレームレートを調整できるように構成される請求項１乃至７のいずれか１項に記載の超音波診断装置。
【請求項９】
前記送受信部は、前記第１のスキャンにおいて、前記第１の超音波および前記第１の超音波の前記振幅を変調した前記超音波として、それぞれ超音波造影ボリューム画像データの生成に適した周波数特性を有する超音波を前記超音波プローブから送信させる一方、前記第２のスキャンにおいて、前記第２の超音波として、超音波形態画像データの生成に適した周波数特性を有する超音波を前記超音波プローブから送信させるように構成される請求項１及び３乃至８のいずれか１項に記載の超音波診断装置。
【請求項１０】
前記送受信部は、前記第１のスキャンにおいて、前記第１の超音波および前記第１の超音波の前記位相を変調した前記超音波として、それぞれ超音波造影ボリューム画像データの生成に適した周波数特性を有する超音波を前記超音波プローブから送信させる一方、前記第２のスキャンにおいて、前記第２の超音波として、超音波形態画像データの生成に適した周波数特性を有する超音波を前記超音波プローブから送信させるように構成される請求項２乃至８のいずれか１項に記載の超音波診断装置。
【請求項１１】
前記送受信部は、複数の超音波振動子を用いて互いに異なる方向から同時に超音波を受信する並列同時受信によって前記第１のスキャン及び前記第２のスキャンの少なくとも一方を前記超音波プローブに実行させるように構成される請求項１乃至１０のいずれか１項に記載の超音波診断装置。
【請求項１２】
コンピュータを、
第１の超音波および前記第１の超音波の振幅を変調した超音波を３次元的に分布する複数の走査線それぞれに少なくとも１回ずつ送信し、当該送信に基づく複数の第１の反射波を受信する第１のスキャンと、
前記第１のスキャンの途中において、第２の超音波を２次元的に分布する複数の走査線それぞれに少なくとも１回送信し、当該送信に基づく複数の第２の反射波を受信する第２のスキャンと、
を超音波プローブに実行させ、前記超音波プローブから前記複数の第１の反射波に基づく複数の第１の受信信号および前記複数の第２の反射波に基づく複数の第２の受信信号を取得する送受信部、
前記複数の第１の受信信号を合成し、複数の合成信号を生成する信号処理部、及び
前記複数の合成信号に基づいて３次元超音波画像データを生成し、前記複数の第２の受信信号に基づいて２次元超音波画像データを生成する画像生成部、
として機能させ、
前記第１のスキャンによって前記３次元的に分布する複数の走査線の一部から前記複数の第１の反射波の一部が受信された後に、前記第２のスキャンによって前記２次元的に分布する複数の走査線から前記複数の第２の反射波が受信され、前記複数の第２の反射波が受信された後に、前記第１のスキャンによって前記３次元的に分布する複数の走査線の残りの全部又は一部から前記複数の第１の反射波の残りの全部又は一部が受信される超音波診断装置用のプログラム。
【請求項１３】
コンピュータを、
第１の超音波および前記第１の超音波の位相を変調した超音波を３次元的に分布する複数の走査線それぞれに少なくとも１回ずつ送信し、当該送信に基づく複数の第１の反射波を受信する第１のスキャンと、
前記第１のスキャンの途中において、第２の超音波を２次元的に分布する複数の走査線それぞれに少なくとも１回送信し、当該送信に基づく複数の第２の反射波を受信する第２のスキャンと、
を超音波プローブに実行させ、前記超音波プローブから前記複数の第１の反射波に基づく複数の第１の受信信号および前記複数の第２の反射波に基づく複数の第２の受信信号を取得する送受信部、
前記複数の第１の受信信号を合成し、複数の合成信号を生成する信号処理部、及び
前記複数の合成信号に基づいて３次元超音波画像データを生成し、前記複数の第２の受信信号に基づいて２次元超音波画像データを生成する画像生成部、
として機能させ、
前記第１のスキャンによって前記３次元的に分布する複数の走査線の一部から前記複数の第１の反射波の一部が受信された後に、前記第２のスキャンによって前記２次元的に分布する複数の走査線から前記複数の第２の反射波が受信され、前記複数の第２の反射波が受信された後に、前記第１のスキャンによって前記３次元的に分布する複数の走査線の残りの全部又は一部から前記複数の第１の反射波の残りの全部又は一部が受信される超音波診断装置用のプログラム。
【手続補正２】
【補正対象書類名】明細書
【補正対象項目名】０００７
【補正方法】変更
【補正の内容】
【０００７】
本発明の実施形態に係る超音波診断装置は、送受信部、信号処理部及び画像生成部を備える。送受信部は、第１の超音波および前記第１の超音波の振幅を変調した超音波を３次元的に分布する複数の走査線それぞれに少なくとも１回ずつ送信し、当該送信に基づく複数の第１の反射波を受信する第１のスキャンと、前記第１のスキャンの途中において、第２の超音波を２次元的に分布する複数の走査線それぞれに少なくとも１回送信し、当該送信に基づく複数の第２の反射波を受信する第２のスキャンを超音波プローブに実行させ、前記超音波プローブから前記複数の第１の反射波に基づく複数の第１の受信信号および前記複数の第２の反射波に基づく複数の第２の受信信号を取得する。信号処理部は、前記複数の第１の受信信号を合成し、複数の合成信号を生成する。画像生成部は、前記複数の合成信号に基づいて３次元超音波画像データを生成し、前記複数の第２の受信信号に基づいて２次元超音波画像データを生成する。前記第１のスキャンによって前記３次元的に分布する複数の走査線の一部から前記複数の第１の反射波の一部が受信された後に、前記第２のスキャンによって前記２次元的に分布する複数の走査線から前記複数の第２の反射波が受信され、前記複数の第２の反射波が受信された後に、前記第１のスキャンによって前記３次元的に分布する複数の走査線の残りの全部又は一部から前記複数の第１の反射波の残りの全部又は一部が受信される。
また、本発明の実施形態に係る超音波診断装置は、送受信部、信号処理部及び画像生成部を備える。送受信部は、第１の超音波および前記第１の超音波の位相を変調した超音波を３次元的に分布する複数の走査線それぞれに少なくとも１回ずつ送信し、当該送信に基づく複数の第１の反射波を受信する第１のスキャンと、前記第１のスキャンの途中において、第２の超音波を２次元的に分布する複数の走査線それぞれに少なくとも１回送信し、当該送信に基づく複数の第２の反射波を受信する第２のスキャンを超音波プローブに実行させ、前記超音波プローブから前記複数の第１の反射波に基づく複数の第１の受信信号および前記複数の第２の反射波に基づく複数の第２の受信信号を取得する。信号処理部は、前記複数の第１の受信信号を合成し、複数の合成信号を生成する。画像生成部は、前記複数の合成信号に基づいて３次元超音波画像データを生成し、前記複数の第２の受信信号に基づいて２次元超音波画像データを生成する。前記第１のスキャンによって前記３次元的に分布する複数の走査線の一部から前記複数の第１の反射波の一部が受信された後に、前記第２のスキャンによって前記２次元的に分布する複数の走査線から前記複数の第２の反射波が受信され、前記複数の第２の反射波が受信された後に、前記第１のスキャンによって前記３次元的に分布する複数の走査線の残りの全部又は一部から前記複数の第１の反射波の残りの全部又は一部が受信される。
また、本発明の実施形態に係る超音波診断装置用のプログラムは、コンピュータを、送受信部、信号処理部及び画像生成部として機能させる。送受信部は、第１の超音波および前記第１の超音波の振幅を変調した超音波を３次元的に分布する複数の走査線それぞれに少なくとも１回ずつ送信し、当該送信に基づく複数の第１の反射波を受信する第１のスキャンと、前記第１のスキャンの途中において、第２の超音波を２次元的に分布する複数の走査線それぞれに少なくとも１回送信し、当該送信に基づく複数の第２の反射波を受信する第２のスキャンを超音波プローブに実行させ、前記超音波プローブから前記複数の第１の反射波に基づく複数の第１の受信信号および前記複数の第２の反射波に基づく複数の第２の受信信号を取得する。信号処理部は、前記複数の第１の受信信号を合成し、複数の合成信号を生成する。画像生成部は、前記複数の合成信号に基づいて３次元超音波画像データを生成し、前記複数の第２の受信信号に基づいて２次元超音波画像データを生成する。前記第１のスキャンによって前記３次元的に分布する複数の走査線の一部から前記複数の第１の反射波の一部が受信された後に、前記第２のスキャンによって前記２次元的に分布する複数の走査線から前記複数の第２の反射波が受信され、前記複数の第２の反射波が受信された後に、前記第１のスキャンによって前記３次元的に分布する複数の走査線の残りの全部又は一部から前記複数の第１の反射波の残りの全部又は一部が受信される。
また、本発明の実施形態に係る超音波診断装置用のプログラムは、コンピュータを、送受信部、信号処理部及び画像生成部として機能させる。送受信部は、第１の超音波および前記第１の超音波の位相を変調した超音波を３次元的に分布する複数の走査線それぞれに少なくとも１回ずつ送信し、当該送信に基づく複数の第１の反射波を受信する第１のスキャンと、前記第１のスキャンの途中において、第２の超音波を２次元的に分布する複数の走査線それぞれに少なくとも１回送信し、当該送信に基づく複数の第２の反射波を受信する第２のスキャンを超音波プローブに実行させ、前記超音波プローブから前記複数の第１の反射波に基づく複数の第１の受信信号および前記複数の第２の反射波に基づく複数の第２の受信信号を取得する。信号処理部は、前記複数の第１の受信信号を合成し、複数の合成信号を生成する。画像生成部は、前記複数の合成信号に基づいて３次元超音波画像データを生成し、前記複数の第２の受信信号に基づいて２次元超音波画像データを生成する。前記第１のスキャンによって前記３次元的に分布する複数の走査線の一部から前記複数の第１の反射波の一部が受信された後に、前記第２のスキャンによって前記２次元的に分布する複数の走査線から前記複数の第２の反射波が受信され、前記複数の第２の反射波が受信された後に、前記第１のスキャンによって前記３次元的に分布する複数の走査線の残りの全部又は一部から前記複数の第１の反射波の残りの全部又は一部が受信される。